【手続補正書】
【提出日】平成15年10月24日(2003.10.24)
【手続補正１】
【補正対象書類名】明細書
【補正対象項目名】特許請求の範囲
【補正方法】変更
【補正の内容】
【特許請求の範囲】
【請求項１】
内燃機関の始動のための操作によって出力される許容確認信号が予め記憶された特定信号と一致判定されたときに内燃機関の作動を許容させる車両に取り付けられる内燃機関の遠隔始動装置において、
内燃機関を遠隔操作によって始動するための遠隔始動信号を生成する遠隔始動手段と、
実施モードと設定モードを有し、設定モードに設定されたとき、前記内燃機関の始動のための操作によって出力される許容確認信号を疑似許容確認信号として記憶し、実施モードに設定されたとき、前記遠隔始動手段からの遠隔始動信号を受信すると前記特定信号と一致判定させるために該記憶された疑似許容確認信号を前記許容確認信号の代わりに出力するスタータ制御装置とを備えることを特徴とする内燃機関の遠隔始動装置。
【請求項２】
内燃機関の始動のための操作によって出力される許容確認信号が予め記憶された特定信号と一致判定されたときに内燃機関の作動を許容させる車両に取り付けられる内燃機関の遠隔始動装置において、
内燃機関を遠隔操作によって始動するための遠隔始動信号を生成する遠隔始動手段と、
実施モードと設定モードを有し、設定モードに設定されたとき、前記内燃機関の始動のための操作によって出力される許容確認信号を疑似許容確認信号として記憶し、実施モードに設定されたとき、前記遠隔始動手段からの遠隔始動信号を受信すると前記許容確認信号を出力する手段の作動を停止させ、前記特定信号と一致判定させるために該記憶された疑似許容確認信号を前記許容確認信号の代わりに出力するスタータ制御装置とを備えることを特徴とする内燃機関の遠隔始動装置。
【請求項３】
内燃機関の始動のための操作によって出力される車両始動信号に応答して起動信号が生成され、該起動信号に基づいて許容確認信号が出力され、該許容確認信号が予め記憶された特定信号と一致判定されたときに内燃機関の作動を許容させる車両に取り付けられる内燃機関の遠隔始動装置において、
内燃機関を遠隔操作によって始動するための遠隔始動信号を生成する遠隔始動手段と、
前記遠隔始動手段からの遠隔始動信号を受信すると内燃機関を作動させるスタータ制御手段とを備え、
該スタータ制御手段は、
設定モードに設定されたとき、前記内燃機関の始動のための操作に基づき出力される許容確認信号を疑似許容確認信号として記憶する設定手段と、
実施モードに設定されたとき、前記遠隔始動手段からの遠隔始動信号を受信すると前記車両始動信号と同じ信号を該車両始動信号の代わりに出力し、前記起動信号を取り入れて前記特定信号と一致判定させるために該記憶された疑似許容確認信号を前記許容確認信号の代わりに出力する疑似信号生成送給手段とを含むことを特徴とする内燃機関の遠隔始動装置。
【請求項４】
内燃機関の始動のための操作によって出力される車両始動信号に応答して起動信号が生成され、該起動信号に基づいて許容確認信号が出力され、該許容確認信号が予め記憶された特定信号と一致判定されたときに内燃機関の作動を許容させる車両に取り付けられる内燃機関の遠隔始動装置において、
内燃機関の遠隔操作によって始動するための遠隔始動信号を生成する遠隔始動手段と、
前記遠隔始動手段からの遠隔始動信号を受信すると内燃機関を作動させるスタータ制御手段とを備え、
該スタータ制御手段は、
設定モードに設定されたとき、前記内燃機関の始動のための操作に基づき出力される許容確認信号を疑似許容確認信号として記憶する設定手段と、
実施モードに設定されたとき、前記遠隔始動手段からの遠隔始動信号を受信すると前記許容確認信号を出力する手段の作動を停止させるとともに、前記車両始動信号と同じ信号を該車両始動信号の代わりに出力し、前記起動信号を取り入れて前記特定信号と一致判定させるために該記憶された疑似許容確認信号を前記許容確認信号の代わりに出力する疑似信号生成送給手段とを含むことを特徴とする内燃機関の遠隔始動装置。
【請求項５】
内燃機関の始動のための操作によって出力される許容確認信号が予め記憶された特定信号と一致判定されたときに内燃機関の作動を許容させる車両に取り付けられる内燃機関の遠隔始動装置において、
内燃機関を遠隔操作によって始動するための遠隔始動信号を生成する遠隔始動手段と、
実施モードと設定モードを有し、設定モードに設定されたとき、前記内燃機関の始動のための操作によって出力される許容確認信号を疑似許容確認信号として記憶し、実施モードに設定されたとき、前記遠隔始動手段からの遠隔始動信号を受信すると前記特定信号と一致判定させるために該記憶された疑似許容確認信号を前記許容確認信号の代わりに出力し、該疑似許容確認信号の出力後に内燃機関を始動させるスタータ制御装置とを備えることを特徴とする内燃機関の遠隔始動装置。
【請求項６】
内燃機関の始動のための操作によって出力される車両始動信号に応答して起動信号が生成され、該起動信号に基づいて許容確認信号が出力され、該許容確認信号が予め記憶された特定信号と一致判定されたときに内燃機関の作動を許容させる車両に取り付けられる内燃機関の遠隔始動装置において、
内燃機関を遠隔操作によって始動するための遠隔始動信号を生成する遠隔始動手段と、
前記遠隔始動手段からの遠隔始動信号を受信すると内燃機関を作動させるスタータ制御手段とを備え、
該スタータ制御手段は、
前記遠隔始動手段からの遠隔始動信号を受信する受信手段と、
設定モードに設定されたとき、前記内燃機関の始動のための操作に基づき出力される許容確認信号を疑似許容確認信号として記憶する設定手段と、
実施モードに設定されたとき、前記遠隔始動手段からの遠隔始動信号を受信すると前記車両始動信号と同じ信号を該車両始動信号の代わりに出力する手段と、
前記起動信号を取り入れて前記特定信号と一致判定させるために該記憶された疑似許容確認信号を前記許容確認信号の代わりに出力する疑似信号生成送給手段と、
該疑似許容確認信号の出力後に内燃機関を始動させる手段とを含むことを特徴とする内燃機関の遠隔始動装置。
【手続補正２】
【補正対象書類名】明細書
【補正対象項目名】０００９
【補正方法】変更
【補正の内容】
【０００９】
本発明は、内燃機関の始動のための操作によって出力される車両始動信号に応答して起動信号が生成され、該起動信号に基づいて許容確認信号が出力され、該許容確認信号が予め記憶された特定信号と一致判定されたときに内燃機関の作動を許容させる車両に取り付けられる内燃機関の遠隔始動装置において、
内燃機関を遠隔操作によって始動するための遠隔始動信号を生成する遠隔始動手段と、
前記遠隔始動手段からの遠隔始動信号を受信すると内燃機関を作動させるスタータ制御手段とを備え、
該スタータ制御手段は、
設定モードに設定されたとき、前記内燃機関の始動のための操作に基づき出力される許容確認信号を疑似許容確認信号として記憶する設定手段と、
実施モードに設定されたとき、前記遠隔始動手段からの遠隔始動信号を受信すると前記車両始動信号と同じ信号を該車両始動信号の代わりに出力し、前記起動信号を取り入れて前記特定信号と一致判定させるために該記憶された疑似許容確認信号を前記許容確認信号の代わりに出力する疑似信号生成送給手段とを含むことを特徴とする内燃機関の遠隔始動装置である。


【手続補正３】
【補正対象書類名】明細書
【補正対象項目名】００１０
【補正方法】変更
【補正の内容】
【００１０】
本発明は、内燃機関の始動のための操作によって出力される車両始動信号に応答して起動信号が生成され、該起動信号に基づいて許容確認信号が出力され、該許容確認信号が予め記憶された特定信号と一致判定されたときに内燃機関の作動を許容させる車両に取り付けられる内燃機関の遠隔始動装置において、
内燃機関の遠隔操作によって始動するための遠隔始動信号を生成する遠隔始動手段と、
前記遠隔始動手段からの遠隔始動信号を受信すると内燃機関を作動させるスタータ制御手段とを備え、
該スタータ制御手段は、
設定モードに設定されたとき、前記内燃機関の始動のための操作に基づき出力される許容確認信号を疑似許容確認信号として記憶する設定手段と、
実施モードに設定されたとき、前記遠隔始動手段からの遠隔始動信号を受信すると前記許容確認信号を出力する手段の作動を停止させるとともに、前記車両始動信号と同じ信号を該車両始動信号の代わりに出力し、前記起動信号を取り入れて前記特定信号と一致判定させるために該記憶された疑似許容確認信号を前記許容確認信号の代わりに出力する疑似信号生成送給手段とを含むことを特徴とする内燃機関の遠隔始動装置である。
また本発明は、内燃機関の始動のための操作によって出力される許容確認信号が予め記憶された特定信号と一致判定されたときに内燃機関の作動を許容させる車両に取り付けられる内燃機関の遠隔始動装置において、
内燃機関を遠隔操作によって始動するための遠隔始動信号を生成する遠隔始動手段と、
実施モードと設定モードを有し、設定モードに設定されたとき、前記内燃機関の始動のための操作によって出力される許容確認信号を疑似許容確認信号として記憶し、実施モードに設定されたとき、前記遠隔始動手段からの遠隔始動信号を受信すると前記特定信号と一致判定させるために該記憶された疑似許容確認信号を前記許容確認信号の代わりに出力し、該疑似許容確認信号の出力後に内燃機関を始動させるスタータ制御装置とを備えることを特徴とする内燃機関の遠隔始動装置である。
また本発明は、内燃機関の始動のための操作によって出力される車両始動信号に応答して起動信号が生成され、該起動信号に基づいて許容確認信号が出力され、該許容確認信号が予め記憶された特定信号と一致判定されたときに内燃機関の作動を許容させる車両に取り付けられる内燃機関の遠隔始動装置において、
内燃機関を遠隔操作によって始動するための遠隔始動信号を生成する遠隔始動手段と、
前記遠隔始動手段からの遠隔始動信号を受信すると内燃機関を作動させるスタータ制御手段とを備え、
該スタータ制御手段は、
前記遠隔始動手段からの遠隔始動信号を受信する受信手段と、
設定モードに設定されたとき、前記内燃機関の始動のための操作に基づき出力される許容確認信号を疑似許容確認信号として記憶する設定手段と、
実施モードに設定されたとき、前記遠隔始動手段からの遠隔始動信号を受信すると前記車両始動信号と同じ信号を該車両始動信号の代わりに出力する手段と、
前記起動信号を取り入れて前記特定信号と一致判定させるために該記憶された疑似許容確認信号を前記許容確認信号の代わりに出力する疑似信号生成送給手段と、
該疑似許容確認信号の出力後に内燃機関を始動させる手段とを含むことを特徴とする内燃機関の遠隔始動装置である。